(57)【要約】【課題】ディジタルカメラの多種機能の設定を、誤操作なく効率的に行なう表示メニューの機能設定ユニットを提供する。【解決手段】三グループのメニューの一つを、左右キー１６でのタブ１ａ〜１ｃの指定でメニュー表示画面２に表示し、表示メニューから選択される機能事項に機能条件値が設定されるが、表示メニューの機能事項７ａ〜７ｅの上下キー１５での選択指定動作、ＯＫキー１７での選択確定動作、ＯＫキー１７での確定機能事項の複数の機能条件値の表示動作、機能条件値の上下キー１５での選択指定動作、指定機能条件値のＯＫキー１７での確定動作の何れの動作過程でも、独立任意に操作される左右キー１６でタブ１ａ〜１ｃが選択され、メニュー表示画面２に他のグループのメニューが迅速に表示され、上下キー１５とＯＫキー１７の誤操作のない簡単な操作で、各種の機能事項の設定を操作時間を短縮し効率的に適確に行なうことが可能になる。。【選択図】　　　　図１
2004023415.tif 000002
【特許請求の範囲】
【請求項１】
電子装置に組み込み使用され、前記電子装置のディスプレイに、該電子装置の機能事項のメニューを表示し、表示されたメニューから選択される機能事項に対して、機能条件値を設定する表示メニューの機能設定ユニットであり、
前記ディスプレイのメニュー表示画面の縁辺に沿って配列され、複数グループに分割されたメニューのグループの一つを選択し、選択したグループに属する全メニューを、前記ディスプレイの同一の表示画面に表示する表示選択操作が、第１の方向に独立自在に行なわれるメニュー選択表示手段と、
前記ディスプレイのメニュー表示面の縁辺の近傍に設けられ、前記メニュー選択表示手段により、前記ディスプレイに表示されるメニューの複数の機能事項の一つを、前記第１の方向に直角な方向に選択指定し、且つ選択指定される機能事項に対応して、前記ディスプレイに表示される複数の機能条件値の一つを、前記第１の方向に直角な方向に選択設定する機能条件設定手段と、
前記メニュー表示画面の縁辺の近傍に設けられ、前記機能条件設定手段により選択指定される機能事項に対応する複数の機能条件値を前記ディスプレイに表示する動作条件表示手段と
を有することを特徴とする表示メニューの機能設定ユニット。
【請求項２】
請求項１記載の表示メニューの機能設定ユニットにおいて、
メニュー選択表示手段が、メニュー表示画面の上縁辺に沿って水平方向に配列され、機能条件設定手段が、前記メニュー表示画面の下縁辺の近傍に設けられていることを特徴とする表示メニューの機能設定ユニット。
【請求項３】
請求項１記載の表示メニューの機能設定ユニットにおいて、電子装置が撮像装置であることを特徴とする表示メニューの機能設定ユニット。
【発明の詳細な説明】
【０００１】
【発明の属する技術分野】
本発明は、撮像装置などの電子装置に組み込み使用され、電子装置のディスプレイに、表示されたメニューの機能事項に対して、動作条件を設定する表示メニューの機能設定ユニットに関する。
【０００２】
【従来の技術】
ディジタルカメラでは、撮影雰囲気に対応して、撮影者の希望する撮影画像を撮影するために、絞り、シャッタースピード、フラッシュ光量、フォーカスなどの各種の撮影機能事項について、最適の撮影機能設定を行なうことが必要であり、同時に日時設定、ＬＣＤ輝度設定など各種の使用機能事項についても必要な使用機能設定が行なわれる。
撮影機能事項には、前述の機能事項の他にも、露出補正、ホワイトバランス、シャープネス、測光方式、長時間露出、ＩＳＯ（Ｉｎｔｅｒｎａｔｉｏｎａｌ　Ｏｒｇａｎｉｚａｔｉｏｎ　ｆｏｒ　Ｓｔａｎｄａｒｄｉｚａｔｉｏｎ：国際標準化機構）感度設定などがあり、使用機能事項にも、前述の使用機能事項の他に、節電設定、フォーマット、オートパワーオフ時間設定、ブザー音設定、画像確認時間設定、ＬＣＤ色彩調整、言語選択、ビデオ方式選択などがある。
【０００３】
ディジタルカメラでは、これらの撮影機能事項及び使用機能事項のそれぞれに対して機能条件を設定して、被写体の撮影を行なうことが必要であり、従来のディジタルカメラでは、前述したような多数の撮影機能事項及び使用機能事項を、複数のグループに分割して、各グループのメニューとして、液晶ディスプレイに切り換え表示するようにしている。そして、液晶ディスプレイの縁辺に沿って、この分割されたグループのメニューを選択表示させる複数のタブが配列され、例えば、第１のタブによって複数のグループの一つを選択すると、そのグループに含まれる機能事項が配列順にメニューとして液晶ディスプレイに表示され、セレクトキーを操作してスクロール操作を行なうことにより、当初の表示に入らなかった機能事項が順次液晶ディスプレイに表示される。
【０００４】
【発明が解決しようとする課題】
ところで、従来のディジタルカメラにおいては、第１のグループのメニューの表示から例えば第２のグループのメニューの表示に、液晶ディスプレイの表示を切り換えるために、第２のタブを操作する際には、液晶ディスプレイの現在の表示画像上のカーソル位置を、第１のタブ位置まで戻すことが必要で、カーソルが第１のタブに達してからでないと、第２のタブを操作することはできない。
このために、現在液晶ディスプレイ上で、第１のグループの配列順が最後の機能事項にカーソルが存在する場合には、長いスクロールを行なってカーソルを第１のタブ位置まで移動させることが必要となり、オペレータに操作上の負担がかかり、現在の状態から第２のタブを操作するまでの時間が長くなり、ディジタルカメラへの所望の撮影機能や使用機能の設定を効率的に行なうことができない。
【０００５】
本発明は、前述したディジタルカメラの撮影機能及び使用機能設定の現状に鑑みてなされたものであり、その目的は、電子装置の多種類の機能事項に対して所望の機能条件値の設定を、ディスプレイの表示メニューに基づき、簡単な操作で誤まりなく効率的に行なうことが可能な表示メニューの機能設定ユニットを提供することにある。
【０００６】
【課題を解決するための手段】
前記目的を達成するために、請求項１記載の発明は、電子装置に組み込み使用され、前記電子装置のディスプレイに、該電子装置の機能事項のメニューを表示し、表示されたメニューから選択される機能事項に対して、機能条件値を設定する表示メニューの機能設定ユニットであり、前記ディスプレイのメニュー表示画面の縁辺に沿って配列され、複数グループに分割されたメニューのグループの一つを選択し、選択したグループに属する全メニューを、前記ディスプレイの同一の表示画面に表示する表示選択操作が、第１の方向に独立自在に行なわれるメニュー選択表示手段と、前記ディスプレイのメニュー表示面の縁辺の近傍に設けられ、前記メニュー選択表示手段により、前記ディスプレイに表示されるメニューの複数の機能事項の一つを、前記第１の方向に直角な方向に選択指定し、且つ選択指定される機能事項に対応して、前記ディスプレイに表示される複数の機能条件値の一つを、前記第１の方向に直角な方向に選択設定する機能条件設定手段と、前記メニュー表示画面の縁辺の近傍に設けられ、前記機能条件設定手段により選択指定される機能事項に対応する複数の機能条件値を前記ディスプレイに表示する動作条件表示手段とを有することを特徴とするものである。
【０００７】
このような手段によると、ディスプレイのメニュー表示画面の縁辺に沿って配列され、複数グループに分割されたメニューのグループの一つの選択表示を、独立して自在に第１の方向に行なうメニュー選択表示手段によって、複数グループに分割されたメニューのグループの一つが選択され、選択されたグループに属する全メニューがディスプレイの同一の表示画面に表示される。
次いで、ディスプレイのメニュー表示面の縁辺の近傍に設けられる機能条件設定手段によって、メニュー選択表示手段によりディスプレイに表示されたメニューを構成する複数の機能事項の一つが、第１の方向に直角な方向に選択指定され、選択指定された機能事項に対応する複数の機能条件値が、メニュー表示画面の縁辺の近傍に設けられる動作条件表示手段によってディスプレイに表示される。そして、ディスプレイに表示される複数の機能条件値の一つが、機能条件設定手段によって第１の方向に直角な方向に選択指定され、選択指定された機能条件の設定が最終的に行なわれる。
【０００８】
このようにして、ディスプレイに表示される複数の機能事項に対する機能条件設定手段による選択指定動作の過程や、選択指定された機能事項に対応する機能条件値の動作条件表示手段による表示動作の過程であっても、これらの動作に独立して、メニュー選択表示手段による複数のメニューグループの選択表示が自在に行なわれ、電子装置の各種多数の機能事項に対して、簡単な操作により誤操作を避け、操作時間を短縮して効率的に、所望の適確な機能条件値が短時間で設定される。
【０００９】
同様に前記目的を達成するために、請求項２記載の発明は、請求項１記載の発明において、メニュー選択表示手段が、メニュー表示画面の上縁辺に沿って水平方向に配列され、機能条件設定手段が、前記メニュー表示画面の下縁辺の近傍に設けられていることを特徴とするものである。
【００１０】
このような手段によると、請求項１記載の発明において、メニュー選択表示手段が、メニュー表示画面の上縁辺に沿って水平方向に配列され、機能条件設定手段が、メニュー表示画面の下縁辺の近傍に設けられた構成によって、請求項１記載の発明での作用が実行される。
【００１１】
同様に前記目的を達成するために、請求項３記載の発明は、請求項１記載の発明において、電子装置が撮像装置であることを特徴とするものである。
【００１２】
このような手段によると、電子装置を撮像装置として、請求項１記載の発明での作用が実行される。
【００１３】
【発明の実施の形態】
以下に本発明の１実施の形態を電子装置がディジタルカメラの場合について、図面を参照して説明する。
図１は、本実施の形態の第１のメニュー選択表示動作時のディスプレイの表示を示す説明図、図２は、本実施の形態の第２のメニュー選択表示動作時のディスプレイの表示を示す説明図、図３は、本実施の形態の第３のメニュー選択表示動作時のディスプレイの表示を示す説明図である。
【００１４】
ディジタルカメラに組み込み使用される本実施の形態は、図１ないし図３に示すように、ディジタルカメラの撮像動作に際して、ディジタルカメラに設定される各種の撮影機能事項及び使用機能事項と対応する複数の機能条件値が表示されるディスプレイ３と、このディスプレイ３に接続され、撮影機能事項と使用機能事項とに、所望の機能条件値を設定する操作を行なう操作パネル２０とからなっている。
本実施の形態では、撮影機能事項、使用機能事項及び機能条件値からなる表示メニューが、第１のメニュー、第２のメニュー及び第３のメニューの３グループに分割され、ディスプレイ３には、これらのメニューが切り換え表示されるメニュー表示画面２が設けられ、メニュー表示画面２の上縁辺に沿って、第１のメニューないし第３のメニューをそれぞれ選択するタブ１ａないしタブ１ｃが配列されている。
また、操作パネル２０には、タブ１ａ〜１ｃの動作を選択指定する左キー１６ａ及び右キー１６ｂからなる左右キー１６、メニュー表示画面２に表示される撮影機能事項、使用機能事項及び機能条件値を選択指定する上キー１５ａ及び下キー１５ｂからなる上下キー１５、及び左右キー１６の選択指定と上下キー１５の選択指定とを確定設定し、機能条件値の表示を選択設定するＯＫキー１７が設けられている。
【００１５】
このような構成の本実施の形態のメニューの選択表示動作を図１ないし図３を参照して説明する。
図１において、左右キー１６を操作することにより、カーソルでタブ１ａを選択指定し、タブ１の選択表示の設定を行なうと、図１に示すように、第１のグループのメニューの機能事項と対応する現在の機能条件値とがメニュー表示画面２に表示される。
この場合の第１のグループのメニューは、「露出補正」を示す機能事項７ａと対応する「０．０」を示す機能条件値８ａ、「ホワイトバランス」を示す機能事項７ｂと対応する「特性図形」を示す機能条件値８ｂ、「フォーカス」を示す機能事項７ｃと対応する「ＡＦ」を示す機能条件値６ｃ、「ＩＳＯ感度」を示す機能事項７ｄと対応する「ＡＵＴＯ」を示す機能条件値８ｄ、及び「測光方式」を示す機能事項７ｅと対応する「マルチ」を示す機能条件値８ｅとからなっている。
このように第１のグループの全てのメニューは、同一の表示画面に表示され、上下キー１５をスクロール操作しても第１のグループの新たな機能事項及び機能条件値がメニュー表示画面２に表示されることはない。
【００１６】
同様にして、図２において、左右キー１６を操作することにより、カーソルでタブ１ｂを選択指定し、タブ２の選択表示の設定を行なうと、図２に示すように、第２のグループのメニューの機能事項と対応する現在の機能条件値とがメニュー表示画面２に表示される。
この場合の第２のグループのメニューは、「画像サイズ」を示す機能事項１０ａと対応する「２０４８」を示す機能条件値１１ａ、「画質」を示す機能事項１０ｂと対応する「Ｆ」を示す機能条件値１１ｂ、「シャープネス」を示す機能事項１０ｃと対応する「標準」を示す機能条件値１１ｃ、「長時間露光」を示す機能事項１０ｄと対応する「ＯＦＦ」を示す機能条件値１１ｄ、及び「オートブラケット」を示す機能事項１０ｅと対応する「ＯＦＦ」を示す機能条件値１１ｅとからなっている。
第２のグループの全てのメニューも同一の表示画面に表示され、上下キー１５をスクロール操作しても第１のグループの新たな機能事項及び機能条件値がメニュー表示画面２に表示されることはない。
【００１７】
同様にして、図３において、左右キー１６を操作することにより、カーソルでタブ１ｃを選択指定し、タブ３の選択表示の設定を行なうと、図３に示すように、第３のグループのメニューの機能事項と対応する現在の機能条件値とがメニュー表示画面２に表示される。
この場合の第３のグループのメニューは、「連写」を示す機能事項１２ａと対応する「ＯＦＦ」を示す機能条件値１３ａ、「音声付き撮影」を示す機能事項１２ｂと対応する「ＯＦＦ」を示す機能条件値１３ｂ、及び「日付入れ」を示す機能事項１２ｃと対応する「ＯＦＦ」を示す機能条件値１３ｃとからなっている。第３のグループの全てのメニューも同一の表示画面に表示され、上下キー１５をスクロール操作しても第３のグループの新たな機能事項及び機能条件値がメニュー表示画面２に表示されることはない。
【００１８】
次に、本実施の形態の機能事項の選択動作を、図４ないし図７を参照して説明する。
図４は、本実施の形態の第２のメニュー選択表示動作に次いで行なわれる第１の機能事項の選択動作時のディスプレイの表示を示す説明図、図５は、本実施の形態の第２のメニュー選択表示動作時に次いで行なわれる第２の機能事項の選択動作時のディスプレイの表示を示す説明図、図６は、本実施の形態の第２のメニュー選択表示動作に次いで行なわれる第３の機能事項の選択動作時のディスプレイの表示を示す説明図、図７は、本実施の形態の第２のメニュー選択表示動作に次いで行なわれる第４の機能事項の選択動作時のディスプレイの表示を示す説明図である。
【００１９】
図４では、すでに図２を参照して説明したように、左右キー１６を操作することにより、カーソルでタブ１ｂを選択指定し、タブ２の選択表示の設定が行なわれており、第２のグループのメニューの機能事項と対応する現在の機能条件値とがメニュー表示画面２に表示され、機能事項選択のカーソルは、原位置である「画像サイズ」を示す機能事項１０ａと対応する「２０４８」を示す機能条件値１１ａとに対応配置されている。
この状態で、「画像サイズ」を示す機能事項１０ａを選択するために、ＯＫキー１７を操作することにより、機能事項１０ａの選択の設定が行なわれると、第２のグループのメニューの機能事項１０ａの選択が確定する。
【００２０】
図５に示す第２の機能事項の選択動作時においては、図４に示す第１の機能事項の選択動作に入る機能事項１０ａの選択の設定前の状態から、上下キー１５の下キー１５ｂを操作することにより、機能事項選択のカーソルを「画質」を示す機能事項１０ｂと対応する「Ｆ」を示す機能条件値１１ｂとに対応する位置に移動させ、機能事項１０ｂの選択の設定が行なわれると、第２のグループのメニューの機能事項１０ｂの選択が確定する。
【００２１】
また、図６に示す第３の機能事項の選択動作時においては、図４に示す第１の機能事項の選択動作に入る機能事項１０ａの選択の設定前の状態から、上下キー１５の下キー１５ｂを操作することにより、機能事項選択のカーソルを「シャープネス」を示す機能事項１０ｃと対応する「標準」を示す機能条件値１１ｃとに対応する位置に移動させ、機能事項１０ｃの選択の設定が行なわれると、第２のグループのメニューの機能事項１０ｃの選択が確定する。
【００２２】
さらに、図７に示す第４の機能事項の選択動作時においては、図４に示す第１の機能事項の選択動作に入る機能事項１０ａの選択の設定前の状態から、上下キー１５の下キー１５ｂを操作することにより、機能事項選択のカーソルを「長時間露光」を示す機能事項１０ｄと対応する「ＯＦＦ」を示す機能条件値１１ｄとに対応する位置に移動させ、ＯＫキー１７を操作することにより、機能事項１０ｄの選択の設定が行なわれると、第２のグループのメニューの機能事項１０ｄの選択が確定する。
【００２３】
次に、本実施の形態の機能条件の設定動作を、図８及び図９を参照して、第４機能事項に対して機能条件を選択設定する場合について説明する。
図８は図７の表示画面での第４機能事項に対応する複数の動作条件の表示動作時のディスプレイの表示を示す説明図、図９は図８の表示画面に対する１秒の機能条件値の選択設定時のディスプレイの表示を示す説明図である。
【００２４】
図８に示す動作条件の表示動作時においては、図７を参照して説明した「長時間露光」を示す機能事項１０ｄの選択設定の確定後に、ＯＫキー１７を操作することにより、図８に示すように、選択設定が確定した機能事項１０ｄに対応するそれぞれ「ＯＦＦ」、「１秒」、「２秒」、「４秒」、「８秒」を示す機能条件値１４ａ〜１４ｅが、メニュー表示画面２に表示される。
この状態で、オペレータが、上下キー１５の上キー１５ａを操作することにより、カーソルを「１秒」を示す機能条件値１２ｂ位置に移動させ、ＯＫキー１７を操作すると、「長時間露光」を示す機能事項１０ｄに対して「１秒」を示す機能条件値１４ｄの選択設定が確定し、選択設定後のメニュー表示画面２には図９に示すように、「長時間露光」を示す機能事項１０ｄへの「１秒」を示す機能条件値１４ｄが選択設定されたことが表示される。
【００２５】
以上に説明したように、本実施の形態によると、ディジタルカメラの機能事項の３グループに分割されたメニューの何れかを、左右キー１５の操作でタブ１ａ〜１ｃを指定することにより、ディスプレイ３のメニュー表示画面２に表示し、表示されるメニューから、選択される機能事項に対して、機能条件値の設定が行なわれる。
この場合、ディスプレイ３に選択表示されるグループのメニューの機能事項７ａ〜７ｅ、１０ａ〜１０ｅ、１２ａ〜１２ｃに対する上下キー１５の操作による選択指定動作、ＯＫキー１７の操作による機能事項の選択確定動作、選択確定された機能事項に対するＯＫキー１７の操作による機能条件値１４ａ〜１４ｅの表示動作、表示された機能条件値の上下キー１５による選択指定動作、及び選択指定された機能条件値に対するＯＫキー１７による確定動作の何れの過程においても、左右キー１６の操作によるタブ１ａ〜１ｃ選択は、独立して任意に行なうことが可能で、この選択が行なわれるとメニュー表示画面２には、直ちに選択されたグループのメニューが表示される。
【００２６】
このように本実施の形態によると、ディスプレイ３に表示される複数の機能事項７ａ〜７ｅ、１０ａ〜１０ｅ、１２ａ〜１２ｃに対する上下キー１６による選択指定動作の過程、選択指定された機能事項１０ｄに対応する機能条件値１４ａ〜１４ｅの表示動作の過程、或いは表示された機能条件値１４ａ〜１４ｅの一つの選択指定の過程であっても、これらの過程での動作とは独立して、左右キー１６の操作によるタブ１ａ〜１ｃの選択を自在に行なうことが可能で、タブ１ａ〜１ｃの選択が行なわれると、現在の表示画像に代えて、選択されたメニューグループのメニューが、メニュー表示画面２に瞬時に行なわれるので、オペレータは、ディジタルカメラの各種多数の撮像上及びカメラ使用上の機能事項に対して、上下キー１５とＯＫキー１７のみを操作する簡単な操作によって誤操作を避け、操作時間を短縮して効率的に、所望の適確な機能条件値を短時間で設定することが可能になる。
【００２７】
なお、実施の形態では、適用対象となる電子装置がディジタルカメラの場合を説明したが、本発明は、この実施の形態に限定されるものではなく、複写機や各種のシステム機器にも適用することが可能である。
【００２８】
【発明の効果】
請求項１記載の発明は、電子装置に組み込み使用され、電子装置のディスプレイに、電子装置の機能事項のメニューを表示し、表示されたメニューから選択される機能事項に対して、機能条件値の設定を行なうが、この場合、先ず、ディスプレイのメニュー表示画面の縁辺に沿って配列され、複数グループに分割されたメニューのグループの一つの選択表示を、独立して自在に第１の方向に行なうメニュー選択表示手段によって、複数グループに分割されたメニューのグループの一つが選択され、選択されたグループに属する全メニューがディスプレイの同一表示画面に表示される。
次いで、ディスプレイのメニュー表示面の縁辺の近傍に設けられる機能条件設定手段によって、メニュー選択表示手段によりディスプレイに表示されたメニューを構成する複数の機能事項の一つが、第１の方向に直角な方向に選択指定され、選択指定された機能事項に対応する複数の機能条件値が、メニュー表示画面の縁辺の近傍に設けられる動作条件表示手段によってディスプレイに表示される。そして、ディスプレイに表示される複数の機能条件値の一つが、機能条件設定手段によって第１の方向に直角な方向に選択指定され、選択指定された機能条件の設定が最終的に行なわれる。
このようにして、本実施の形態によると、ディスプレイに表示される複数の機能事項に対する機能条件設定手段による選択指定動作の過程や、選択指定された機能事項に対応する機能条件値の動作条件表示手段による表示動作の過程であっても、これらの動作に独立して、メニュー選択表示手段による複数のメニューグループの選択表示が自在に行なわれ、オペレータは、電子装置の各種多数の機能事項に対して、簡単な操作により誤操作を避け、操作時間を短縮して効率的に、所望の適確な機能条件値を設定することが可能になる。
【００２９】
請求項２記載の発明によると、請求項１記載の発明において、メニュー選択表示手段が、メニュー表示画面の上縁辺に沿って水平方向に配列され、機能条件設定手段が、メニュー表示画面の下縁辺の近傍に設けられた構成によって、請求項１記載の発明で得られる効果を実現することが可能になる。
【００３０】
請求項３記載の発明によると、電子装置を撮像装置として、請求項１記載の発明で得られる効果が実現可能になる。
【図面の簡単な説明】
【図１】本発明の一実施の形態の第１のメニュー選択表示動作時のディスプレイの表示を示す説明図である。
【図２】同実施の形態の第２のメニュー選択表示動作時のディスプレイの表示を示す説明図である。
【図３】同実施の形態の第３のメニュー選択表示動作時のディスプレイの表示を示す説明図である。
【図４】同実施の形態の第２のメニュー選択表示動作に次いで行なわれる第１の機能事項の選択動作時のディスプレイの表示を示す説明図である。
【図５】同実施の形態の第２のメニュー選択表示動作時に次いで行なわれる第２の機能事項の選択動作時のディスプレイの表示を示す説明図である。
【図６】同実施の形態の第２のメニュー選択表示動作に次いで行なわれる第３の機能事項の選択動作時のディスプレイの表示を示す説明図である。
【図７】同実施の形態の第２のメニュー選択表示動作に次いで行なわれる第４の機能事項の選択動作時のディスプレイの表示を示す説明図である。
【図８】図７の表示画面での第４機能事項に対応する複数の動作条件の表示動作時のディスプレイの表示を示す説明図である。
【図９】図８の表示画面に対する１秒の機能条件値の選択設定時のディスプレイの表示を示す説明図である。
【符号の説明】
１ａ〜１ｃ　タブ
２　メニュー表示画面
３　ディスプレイ
１５　上下キー
１６　左右キー
２０　操作パネル
【図１】
2004023415.tif 000003
【図２】
2004023415.tif 000004
【図３】
2004023415.tif 000005
【図４】
2004023415.tif 000006
【図５】
2004023415.tif 000007
【図６】
2004023415.tif 000008
【図７】
2004023415.tif 000009
【図８】
2004023415.tif 000010
【図９】
2004023415.tif 000011